(57)【要約】【課題】容易に施錠することができるノート型パソコン用セキュリティケーブルを提供する。【解決手段】  ノート型パソコン用セキュリティケーブルは、錠止構造を備える。錠止構造は、雄側ハウジング１１、雌側ハウジング１２、２つのライニング部材１３、Ｉ字状係合部材１４、連動部材１５、弾性部材１６及びシリンダ１７を有する。雄側ハウジング１１は、側部の円周面に設けられた十字状の開口１１１を有し、垂直方向に延設された開口１１１を有する嵌合溝１１２が内側面に設けられ、他方の側部に、断面が小さな結合部１１３が延設され、（下部）結合部１１３に貫通孔が設けられる。雌側ハウジング１２は、側部の円周面に円形状開口が設けられ、周縁部の上部に位置決め部材１２１を貫設して位置決めする貫通孔が設けられ、２つのライニング部材１３に凸設された滑り止めブロック１３１を嵌入する複数の制限口１２２が周縁部の両側に設けられている。【選択図】  図２
0003166771.tif 000002
【実用新案登録請求の範囲】
【請求項１】
錠止構造を備えるノート型パソコン用セキュリティケーブルであって、
前記錠止構造は、雄側ハウジング、雌側ハウジング、２つのライニング部材、Ｉ字状係合部材、連動部材、弾性部材及びシリンダを有し、
前記雄側ハウジングは、側部の円周面に設けられた十字状の開口を有し、垂直方向に延設された開口を有する嵌合溝が内側面に設けられ、他方の側部に、断面が小さな結合部が延設され、下結合部に貫通孔が設けられ、
前記雌側ハウジングは、側部の円周面に円形状開口が設けられ、周縁部の上部に位置決め部材を貫設して位置決めする貫通孔が設けられ、前記２つのライニング部材に凸設された滑り止めブロックを嵌入する複数の制限口が周縁部の両側に設けられ、
前記Ｉ字状係合部材は、一方の端部に設けられたＴ字状係合部材と、他方の端部に設けられたＴ字状嵌合端と、を有し、
前記連動部材の円盤は、一方の端部に、互いに対応して適宜離間されるように設けられた２つの係合栓と、他方の端部に設けられた当接溝と、を有し、
前記弾性部材は、適宜な長さの引張バネであり、
前記シリンダは、押圧式筒型錠であり、隣接した底面に凹設された位置規制溝と、頂面に設けられた鍵孔と、を有し、前記鍵孔は、環状溝であり、内縁に設けられた複数のバンプ及び位置決め溝を有し、摺動杆は、一方の端部が前記鍵孔に枢着され、他方の端部に凸設された突起を有し、中段部にバネを収納する凹溝が設けられていることを特徴とするノート型パソコン用セキュリティケーブル。
【請求項２】
前記雌側ハウジングには、周縁部の隣接した箇所で、前記２つのライニング部材に凸設された前記滑り止めブロックを嵌入する前記複数の制限口が側部に設けられていることを特徴とする請求項１に記載のノート型パソコン用セキュリティケーブル。
【請求項３】
前記Ｉ字状係合部材は、高剛性の杆体であることを特徴とする請求項１に記載のノート型パソコン用セキュリティケーブル。
【請求項４】
前記雄側ハウジングは、前記開口の外側面に取り付けられた適宜な厚さのワッシャを有することを特徴とする請求項１に記載のノート型パソコン用セキュリティケーブル。
【考案の詳細な説明】
【技術分野】
【０００１】
本考案は、ノート型パソコンに応用する錠止構造に関するものであり、さらに詳しくは、ノート型パソコン用セキュリティケーブルに関するものである。
【背景技術】
【０００２】
図１４及び図１５を参照する。図１４及び図１５に示すように、従来のノート型パソコン用セキュリティケーブル（ケンジントンロックとも称される。）は、錠止構造（ロック）５０及びワイヤロープ結合部６０を有する。錠止構造５０は、互いに対応した２つのハウジング５１と、掛止部材５２と、ダイヤル５３と、制御杆５４と、を有する。互いに対応したハウジング５１は、一方の端部に掛止部材５２が配置され、他方の端部に複数のダイヤル５３が配置されている。ダイヤル５３は、ダイヤルリング５３１、ラチェット５３２、バネ５３３、バネ片５３４及び番号変更ボタン５３５を有し、制御杆５４の所定箇所にダイヤル５３を順次嵌合させ、ハウジング５１の所定箇所にワイヤロープ結合部６０が延設されている。このワイヤロープ結合部６０の他方の端部には、リング部６１が設けられている。椅子などの杆状固定物に、錠止構造５０に延設されたワイヤロープ結合部６０を巻付け、リング部６１のワイヤロープ結合部６０に錠止構造５０を貫設し、ノート型パソコンの係合孔に掛止部材５２を嵌挿させる。そして、ダイヤル５３を解錠可能な数字に合わせ、制御杆５４を押圧し、一番深い位置で掛止部材５２に嵌合し、掛止部材５２を含む錠止構造５０を９０°回転させ、ノート型パソコンの係合孔に対して掛止部材５２が垂直になるため取れなくなり、ダイヤル５３の数字をランダムにすることにより施錠し、ノート型パソコンの盗難を防止するように構成されている。
【０００３】
しかし、従来のノート型パソコン用セキュリティケーブルには、以下（１）〜（３）の欠点がある。
（１）ダイヤル５３を回して錠止構造５０の施錠／解錠を行うため、操作が複雑となり、ノート型パソコンに錠止構造５０を取り付けるのに長い時間を要する。
（２）錠止構造５０のダイヤル５３の部品が多く、錠止構造５０の製造工程における組立てに高い精度が求められ、組立てが容易でないため、製造コストが多くかかる。
（３）錠止構造５０の部品が多く、軽量化が困難であるため、軽量で使い易さが求められるノート型パソコンには適さない。
【考案の開示】
【考案が解決しようとする課題】
【０００４】
従って、本考案の第１の課題は、錠止構造（以下、「ロック」という。）のシリンダを押圧式筒型錠にすることにより、鍵を回転させずに、シリンダの摺動杆を押圧するだけで、容易に施錠することができるノート型パソコン用セキュリティケーブルを提供することにある。
【０００５】
本考案の第２の課題は、ロックのシリンダが押圧式筒型錠であり、ロックの構造が簡素であるため、軽量で組立てが簡単であり、製造コストを下げることができるノート型パソコン用セキュリティケーブルを提供することにある。
【０００６】
本考案の第３の課題は、解錠する場合、まず、シリンダの鍵孔の位置決め溝に鍵の位置決め鍵部を合わせて挿入し、鍵の軸方向の凹弧部により、シリンダの鍵孔のバンプが適宜な位置に移動するまで押した後に回転させると、バネにより摺動杆が迅速に復位し、迅速に解錠することができるノート型パソコン用セキュリティケーブルを提供することにある。
【課題を解決するための手段】
【０００７】
上記課題を解決するために、本考案によれば、ロックを備えるノート型パソコン用セキュリティケーブルであって、
前記ロックは、雄側ハウジング、雌側ハウジング、２つのライニング部材、Ｉ字状係合部材、連動部材、弾性部材及びシリンダを有し、
前記雄側ハウジングは、側部の円周面に設けられた十字状の開口を有し、垂直方向に延設された開口を有する嵌合溝が内側面に設けられ、他方の側部に、断面が小さな結合部が延設され、下結合部に貫通孔が設けられ、
前記雌側ハウジングは、側部の円周面に円形状開口が設けられ、周縁部の上部に位置決め部材を貫設して位置決めする貫通孔が設けられ、
前記２つのライニング部材に凸設された滑り止めブロックを嵌入する複数の制限口が周縁部の両側に設けられ、
前記Ｉ字状係合部材は、一方の端部に設けられたＴ字状係合部材と、他方の端部に設けられたＴ字状嵌合端と、を有し、
前記連動部材の円盤は、一方の端部に、互いに対応して適宜離間されるように設けられた２つの係合栓と、他方の端部に設けられた当接溝と、を有し、前記弾性部材は、適宜な長さの引張バネであり、
前記シリンダは、押圧式筒型錠であり、隣接した底面に凹設された位置規制溝と、頂面に設けられた鍵孔と、を有し、前記鍵孔は、環状溝であり、内縁に設けられた複数のバンプ及び位置決め溝を有し、摺動杆は、一方の端部が前記鍵孔に枢着され、他方の端部に凸設された突起を有し、中段部にバネを収納する凹溝が設けられていることを特徴とするノート型パソコン用セキュリティケーブル
が提供される。
【０００８】
前記雌側ハウジングには、周縁部の隣接した箇所で、前記２つのライニング部材に凸設された前記滑り止めブロックを嵌入する前記複数の制限口が側部に設けられていることが好ましい。
【０００９】
前記Ｉ字状係合部材は、高剛性の杆体であることが好ましい。
【００１０】
前記雄側ハウジングは、前記開口の外側面に取り付けられた適宜な厚さのワッシャを有することが好ましい。
【図面の簡単な説明】
【００１１】
【図１】本考案の一実施形態によるノート型パソコン用セキュリティケーブルを示す斜視図である。
【図２】本考案の一実施形態によるノート型パソコン用セキュリティケーブルを示す分解斜視図である。
【図３】本考案の一実施形態によるノート型パソコン用セキュリティケーブルのシリンダを示す斜視図である。
【図４】本考案の一実施形態によるノート型パソコン用セキュリティケーブルを示す部分断面斜視図である。
【図５】本考案の一実施形態によるノート型パソコン用セキュリティケーブルの施錠状態を示す部分断面斜視図である。
【図６】本考案の一実施形態によるノート型パソコン用セキュリティケーブルの連動部材をノート型パソコンの側部に押し付けたときの状態を示す模式図である。
【図７】本考案の一実施形態によるノート型パソコン用セキュリティケーブルの連動部材をノート型パソコンの側部に押し付けたときの状態を示す断面図である。
【図８】本考案の一実施形態によるノート型パソコン用セキュリティケーブルをノート型パソコンに取り付けたときの状態を示す模式図である。
【図９】本考案の一実施形態によるノート型パソコン用セキュリティケーブルの施錠状態を示す断面図である。
【図１０】本考案の一実施形態によるノート型パソコン用セキュリティケーブルを鍵により解錠するときの状態を示す模式図である。
【図１１】本考案の一実施形態によるノート型パソコン用セキュリティケーブルを鍵により解錠するときの状態を示す断面図である。
【図１２】本考案の一実施形態によるノート型パソコン用セキュリティケーブルをノート型パソコンに実際に使用したときの状態を示す斜視図である。
【図１３】本考案のもう一つの実施形態によるノート型パソコン用セキュリティケーブルを示す斜視図である。
【図１４】従来のノート型パソコン用セキュリティケーブルを示す斜視図である。
【図１５】従来のノート型パソコン用セキュリティケーブルを示す分解斜視図である。
【考案を実施するための最良の形態】
【００１２】
以下、本考案の実施形態について図面に基づいて説明する。なお、これらによって本考案が限定されるものではない。
【００１３】
図１〜図３を参照する。図１〜図３に示すように、本考案の一実施形態によるノート型パソコン用セキュリティケーブルは、ロック１０及びワイヤロープ結合部２０を有し、解錠する際に鍵３０を用いる。ロック１０は、雄側ハウジング１１、雌側ハウジング１２、２つのライニング部材１３、Ｉ字状係合部材１４、連動部材１５、弾性部材１６及びシリンダ１７を有する。雄側ハウジング１１は、側部の円周面に設けられた十字状の開口１１１を有し、垂直方向に延設された開口１１１を有する嵌合溝１１２が内側面に設けられ、他方の側部に、小さな断面の結合部１１３が延設されている。（下部）結合部１１３には、貫通孔が設けられている。雌側ハウジング１２の側部の円周面には、円形状開口が設けられ、周縁部の上方には、位置決め部材１２１を貫設して位置決めするために用いる貫通孔が設けられている。周縁部の両側には、２つのライニング部材１３に凸設された滑り止めブロック１３１を嵌入するために用いる複数の制限口１２２が設けられている。Ｉ字状係合部材１４は、一方の端部に設けられたＴ字状係合部材１４１と、他方の端部に設けられたＴ字状嵌合端１４２と、を有する高剛性の杆体である。連動部材１５の円盤１５１は、一方の端部に、互いに対応して適宜離間されて設けられた２つの係合栓１５２と、他方の端部に設けられた当接溝１５３と、を有する。弾性部材１６は、適宜な長さの引張バネを有する。シリンダ１７は、従来の押圧式筒型錠であり、隣接した底面には位置規制溝１７１が凹設され、頂面に鍵孔１７２が設けられている。鍵孔１７２は、内縁に設けられた複数のバンプ１７２１及び位置決め溝１７２２を有する環状溝である。摺動杆１７３は、一方の端部が鍵孔１７２に枢着され、他方の端部に凸設された突起１７３１を有し、中段部にバネ１７３２を収納するために用いる凹溝が設けられている。ワイヤロープ結合部２０は、嵌合リング２１及びリング状ワイヤロープ２２から構成される。リング状ワイヤロープ２２の一端にはリング部２２１が設けられている。鍵３０は、一方の端部に設けられた柄体と、他方の端部の周縁に凸設された位置決め鍵部３１と、凹設された軸方向の複数の凹弧部３２と、を有する中空柱体である。上述の構造により、ロック１０のシリンダ１７の摺動杆１７３を押圧するだけで、施錠することができるため、鍵３０で回転させなくとも容易に施錠することができる。解錠するときは、シリンダ１７の鍵孔１７２の位置決め溝１７２２に合わせ、鍵３０の位置決め鍵部３１を挿入し、鍵３０の凹弧部３２により、シリンダ１７の鍵孔１７２のバンプ１７２１を押して回転させると、バネ１７３２により摺動杆１７３が迅速に復位し、シリンダ１７を迅速に解錠することができる。
【００１４】
図２及び図４を参照する。図２及び図４に示すように、ノート型パソコン用セキュリティケーブルの構造を組み合わせるときは、まず、雄側ハウジング１１の開口１１１に、Ｉ字状係合部材１４のＴ字状係合部材１４１を貫設させ、雄側ハウジング１１の嵌合溝１１２に、Ｉ字状係合部材１４のＴ字状嵌合端１４２を嵌合させ、雄側ハウジング１１の上結合部１１３に、ワイヤロープ結合部２０を有する嵌合リング２１を嵌合させる。即ち、ワイヤロープ結合部２０の嵌合リング２１は、雄側ハウジング１１の上結合部１１３において回転させることができる。一方、シリンダ１７の摺動杆１７３を弾性部材１６に貫設し、連動部材１５の当接溝１５３に、シリンダ１７の摺動杆１７３の突起１７３１を係止させる。これにより、弾性部材１６は、連動部材１５の円盤１５１と、シリンダ１７の底面との間に配置され、上述の各構成要素を雄側ハウジング１１中に設置する際、連動部材１５の係合栓１５２は、雄側ハウジング１１の開口１１１に貫設され、Ｉ字状係合部材１４に対して十字状に交錯し、シリンダ１７の位置規制溝１７１と雄側ハウジング１１の貫通孔とを位置合わせし、雌側ハウジング１２の制限口１２２に、２つのライニング部材１３の滑り止めブロック１３１を嵌合させてから、雄側ハウジング１１の下結合部１１３に、雌側ハウジング１２を嵌合させ、雄側ハウジング１１と雌側ハウジング１２の貫通孔とを位置合わせした後、位置決め部材１２１を貫設して位置合わせする。シリンダ１７の位置規制溝１７１に位置決め部材１２１を係合し、シリンダ１７を位置決めすると、組み合わせステップが完了する。シリンダ１７が押圧式筒型錠であるため、ロック１０は、構造が簡素である上、軽量で組立てが簡単であり、製造コストを減らすことができる。
【００１５】
図３〜図５を参照する。図３〜図５に示すように、ロック１０を施錠する際は、シリンダ１７の摺動杆１７３を行程終点まで押圧し、凹溝中のバネ１７３２が押されると、連動部材１５の当接溝１５３中で、シリンダ１７の摺動杆１７３の突起１７３１が摺動して弾性部材１６が圧縮し、連動部材１５の円盤１５１が押されるに伴い、開口１１１の外側まで連動部材１５の係合栓１５２が移動し、Ｉ字状係合部材１４のＴ字状係合部材１４１に隣接する。図２、図３、図１０及び図１１に示すように、解錠する際は、まず、シリンダ１７の鍵孔１７２の位置決め溝１７２２に、鍵３０の位置決め鍵部３１を合わせて挿入し、鍵３０の軸方向の凹弧部３２により、シリンダ１７中の鍵孔１７２のバンプ１７２１を押して回転させてシリンダ１７を解錠し、バネ１７３２により押された摺動杆１７３が迅速に復位される。シリンダ１７の摺動杆１７３が復位する際、突起１７３１により連動部材１５の当接溝１５３を引っ張り、雄側ハウジング１１の開口１１１に、連動部材１５の係合栓１５２が復位し、迅速に解錠することができる。
【００１６】
図６〜図９及び図１２を参照する。図６〜図９及び図１２に示すように、ノート型パソコン用セキュリティケーブルを実際に使用する際、まず、固定物にワイヤロープ結合部２０のリング状ワイヤロープ２２を巻付けてから、ワイヤロープ結合部２０のリング部２２１をロック１０に接続することにより、固定物にロック１０の端部を固定させる。続いて、ロック１０のシリンダ１７の摺動杆１７３を行程終点まで押圧して施錠し、凹溝中のバネ１７３２を圧縮させると、連動部材１５の当接溝１５３中で、シリンダ１７中の摺動杆１７３の突起１７３１が摺動するとともに、弾性部材１６により連動部材１５の円盤１５１が押されると、開口１１１の外側へ連動部材１５の係合栓１５２が移動し、Ｉ字状係合部材１４のＴ字状係合部材１４１に隣接する。ノート型パソコンの側部に設けられた凹溝に、ロック１０中のＩ字状係合部材１４のＴ字状係合部材１４１が貫設されると、ロック１０の連動部材１５の係合栓１５２がノート型パソコンの側部に押し付けられ、雄側ハウジング１１の垂直方向の開口１１１からイジェクトされ、連動部材１５の円盤１５１により弾性部材１６が押され、シリンダ１７の突起１７３１に隣接した箇所に移動した後、ロック１０を９０°回転させると、雄側ハウジング１１の垂直方向の開口１１１が、ノート型パソコンの側部に設けられた凹部に対して平行となり、連動部材１５の係合栓１５２が弾性部材１６により押され、ノート型パソコンの側部に設けられた凹部に貫設されて復位し、側部に設けられた凹溝の縁部に当接され、ノート型パソコンの側部に設けた凹部に、Ｉ字状係合部材１４のＴ字状係合部材１４１が係止される。要するに、Ｉ字状係合部材１４のＴ字状係合部材１４１の両側に配置された連動部材１５の係合栓１５２が、ノート型パソコンの側部に設けた凹溝の縁部に当接されるため、ロック１０が直接回転する虞がなくなる。ノート型パソコンにロック１０が取り付けられ、ロック１０の他方の端部が、ワイヤロープ結合部２０のリング状ワイヤロープ２２により固定物に固定されるため、ノート型パソコンが盗難されることを防ぐことができる。図２、図３、図１０及び図１１に示すように、ノート型パソコン用セキュリティケーブルを解錠する際は、まず、シリンダ１７の鍵孔１７２の位置決め溝１７２２に、鍵３０の位置決め鍵部３１を合わせて挿入し、鍵３０の軸方向の凹弧部３２により、シリンダ１７の鍵孔１７２のバンプ１７２１を押して回転させるとシリンダ１７が解錠され、摺動杆１７３がバネ１７３２により押されて迅速に復位する。シリンダ１７の摺動杆１７３が復位する際、突起１７３１により連動部材１５の当接溝１５３が引っ張られ、連動部材１５の係合栓１５２が開口１１１に復位して解錠する。このように、ロック１０を回転させると、ロック１０のＩ字状係合部材１４が一緒に回転してノート型パソコンの凹溝に対して平行になるため、取り出すことができる。
【００１７】
図１３を参照する。図１３に示すように、本考案のもう一つの実施形態のノート型パソコン用セキュリティケーブルは、ロック１０の雄側ハウジング１１の開口１１１の外側面に、適宜な厚さのワッシャ１１４が取り付けられている。ワッシャ１１４は、ロック１０を施錠する際、ノート型パソコンと接触して磨耗したり、隙間が生じて揺れたり緩んだりすることがないように、スポンジからなる。
【００１８】
上述したことから分かるように、本考案のノート型パソコン用セキュリティケーブルは、以下（１）〜（５）の長所を有する。
（１）雌側ハウジング１２の周縁部の両側には、２つのライニング部材１３が凸設された滑り止めブロック１３１を嵌入するために用いる複数の制限口１２２が設けられているため、ロック１０を回転させる際、指が滑らずロック１０を確実に持つことができる。
（２）ロック１０のシリンダ１７は、押圧式筒型錠であるため、鍵３０を回転させなくとも容易に施錠することができる。
（３）ロック１０のシリンダ１７が押圧式筒型錠であり、ロック１０の構造が簡素であるため、軽量で組立てが簡単であり、製造コストを下げることができる。
（４）解錠する場合、まず、シリンダ１７中の鍵孔１７２の位置決め溝１７２２に、鍵３０の位置決め鍵部３１を合わせて挿入し、鍵３０の軸方向の凹弧部３２により、シリンダ１７中の鍵孔１７２のバンプ１７２１が適宜な位置に移動するまで押して回転させるとシリンダ１７が解錠され、バネ１７３２により摺動杆１７３が迅速に復位し、迅速に解錠することができる。
（５）ロック１０を施錠してから、ノート型パソコンの側部に設けた凹溝に、Ｉ字状係合部材１４のＴ字状係合部材１４１を係止すると、ノート型パソコンの側部に設けた凹溝の縁部に、Ｉ字状係合部材１４の両側に配置された連動部材１５の係合栓１５２が当接され、ロック１０が直接回転しなくなる。このロック１０は、一方の端部がノート型パソコンに取り付けられ、他方の端部がワイヤロープ結合部２０のリング状ワイヤロープ２２により固定物に固定されるため、ノート型パソコンが盗難されることを防ぐことができる。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１０  ロック
１１  雄側ハウジング
１２  雌側ハウジング
１３  ライニング部材
１４  Ｉ字状係合部材
１５  連動部材
１６  弾性部材
１７  シリンダ
２０  ワイヤロープ結合部
２１  嵌合リング
２２  リング状ワイヤロープ
３０  鍵
３１  位置決め鍵部
３２  凹弧部
５０  ロック
５１  ハウジング
５２  掛止部材
５３  ダイヤル
５４  制御杆
６０  ワイヤロープ結合部
６１  リング部
１１１  開口
１１２  嵌合溝
１１３  結合部
１１４  ワッシャ
１２１  位置決め部材
１２２  制限口
１３１  滑り止めブロック
１４１  Ｔ字状係合部材
１４２  Ｔ字状嵌合端
１５１  円盤
１５２  係合栓
１５３  当接溝
１７１  位置規制溝
１７２  鍵孔
１７３  摺動杆
２２１  リング部
５３１  ダイヤルリング
５３２  ラチェット
５３３  バネ
５３４  バネ片
５３５  番号変更ボタン
１７２１  バンプ
１７２２  位置決め溝
１７３１  突起
１７３２  バネ
【図１】
0003166771.tif 000003
【図２】
0003166771.tif 000004
【図３】
0003166771.tif 000005
【図４】
0003166771.tif 000006
【図５】
0003166771.tif 000007
【図６】
0003166771.tif 000008
【図７】
0003166771.tif 000009
【図８】
0003166771.tif 000010
【図９】
0003166771.tif 000011
【図１０】
0003166771.tif 000012
【図１１】
0003166771.tif 000013
【図１２】
0003166771.tif 000014
【図１３】
0003166771.tif 000015
【図１４】
0003166771.tif 000016
【図１５】
0003166771.tif 000017